(57)【特許請求の範囲】
【請求項１】
画像を所定の解像度で取り込む画像取込手段と、
前記画像取込手段により取り込まれた画像をデジタル記録する記録手段と、
前記記録手段により記録された画像データを処理し、所定の水平画素数及び所定の走査線数を有する画像データに変換する変換手段と、
前記変換手段により変換された画像データを、アナログテレビジョン放送のフォーマットに変換して出力する第１の出力手段と、
前記変換手段により変換された画像データを、デジタルテレビジョン放送のフォーマットに変換して出力する第２の出力手段と
を備え、
前記変換手段は、前記第１及び第２の出力手段の出力先の形式に基づき、変換する画素データの前記所定の水平画素数および所定の走査線数を切り替える
ことを特徴とするデジタルカメラ装置。
【請求項２】
画像を所定の解像度で取り込む画像取込手段と、
前記画像取込手段により取り込まれた画像を、アナログテレビジョン放送のフォーマットに対応させて動画再生する再生手段と、
前記再生手段により再生される動画の一部を静止画としてデジタル記録する記録手段と、
前記記録手段により記録された画像データを処理し、所定の水平画素数及び所定の走査線数を有する画像データに変換する変換手段と、
前記変換手段により変換された画像データを、アナログテレビジョン放送のフォーマットに変換して出力する第１の出力手段と、
前記変換手段により変換された画像データを、デジタルテレビジョン放送のフォーマットに変換して出力する第２の出力手段と
を備え、
前記変換手段は、前記第１及び第２の出力手段の出力先の形式に基づき、変換する画素データの前記所定の水平画素数および所定の走査線数を切り替える
ことを特徴とするデジタルカメラ装置。
【請求項３】
画像を所定の解像度で取り込む画像取込手段と、
前記画像取込手段により取り込まれた画像を静止画像として圧縮してデジタル記録する記録手段と、
前記記録手段により記録された画像データを、伸張してデジタル再生する再生手段と、
前記再生手段により再生された画像データを処理し、所定の水平画素数及び所定の走査線数を有する画像データに変換する変換手段と、
前記変換手段により変換された画像データを、アナログテレビジョン放送のフォーマットに変換して出力する第１の出力手段と、
前記変換手段により変換された画像データを、デジタルテレビジョン放送のフォーマットに変換して出力する第２の出力手段と、
前記再生手段により再生された画像データを、コンピュータ用のデータのフォーマットに変換して出力する第３の出力手段と
を備え、
前記変換手段は、前記第１及び第２の出力手段の出力先の形式に基づき、変換する画素データの前記所定の水平画素数および所定の走査線数を切り替える
ことを特徴とするデジタルカメラ装置。
【請求項４】
前記変換手段は、前記記録手段により記録された画像データを処理し、有効走査線数１０８０本のプログレッシブスキャン信号に変換する第１の変換手段、前記記録手段により記録された画像データを処理し、有効走査線数１０８０本のインターレース信号に変換する第２の変換手段、前記記録手段により記録された画像データを処理し、有効走査線数７２０本のプログレッシブ信号に変換する第３の変換手段、前記記録手段により記録された画像データを処理し、有効走査線数４８０本のプログレッシブ信号に変換する第４の変換手段を備えたことを特徴とする請求項１〜３のいずれかに記載のデジタルカメラ装置。
【請求項５】
前記第１及び第２の出力手段の出力先の形式に基づき、前記第１及び第２の出力手段のうちの一方を選択し、この選択された出力手段により画像データを出力させる制御手段を備えたことを特徴とする請求項１〜４のいずれかに記載のデジタルカメラ装置。
【発明の詳細な説明】
【０００１】
【発明の属する技術分野】
この発明は、デジタルカメラ装置に関する。
【０００２】
【従来の技術】
近年、パーソナルコンピュータ（以下、ＰＣ）の普及により、画像データの加工が簡単に出来るデジタルカメラが急速に普及している。従来のデジタルカメラの概略構成を図３に示す。図３を参照して、まず、入力画像を記録する場合について説明する。入力端子１０には、ＣＣＤ等の光電変換素子により取り込まれた画像データが入力される。入力端子１０に入力された画像データは、カメラ信号処理部１１により圧縮記録／伸張再生部１３に適したフォーマット（例えばＲＧＢ、ＹＵＶ）に変換され、メモリーコントローラ１２を介して、メモリ１５に格納される。通常、メモリ１５には、ＤＲＡＭ（Dynamic Random Access Memory）等が使われる。メモリコントローラ１２を介してメモリ１５から読み出された画像データは、圧縮記録／伸張再生部１３の入力要求に従って、圧縮記録／伸張再生部１３に入力され、所定の圧縮処理（例えばＪＰＥＧ）が施され、任意のファイルフォーマットで記録媒体１６に書き込まれる。記録媒体には、例えば、ＥＥＰＲＯＭを用いたカード型の記録装置が使われる。
【０００３】
また、通常のデジタルカメラには、ビューファインダーといわれる処理が組み込まれている。このビューファインダー処理は被写体を記録する際、表示装置（液晶表示装置、ＴＶ受像機など）に被写体を動画で表示し、この表示装置の表示内容を見てシャッタチャンスを決められる機能である。
【０００４】
図３を用いて、ビューファインダー処理について説明する。入力端子１０に入力された画像データは、カメラ信号処理部１１で圧縮記録／伸張再生部１３に適したフォーマット（例えばＲＧＢ、ＹＵＶ）に変換される。変換された画像データは、メモリコントローラ１２及びメモリ１５により表示装置に適した形式（例えばインターレース処理）に変換され、例えばＮＴＳＣ／ＰＡＬエンコーダー１７を介して、ＴＶ受像機に表示される。
【０００５】
次に、記録媒体１６に記録された画像データを再生する場合について説明する。記録媒体１６に記録された圧縮済みの画像データは、圧縮記録／伸張再生部１３に入力され、元の画像データ（例えばＲＧＢ、ＹＵＶ）に復元される。圧縮記録／伸張再生部１３により復元された画像データは、メモリコントローラ１２を介して、メモリ１５に格納される。メモリ１５に格納された画像データは、メモリコントローラ１２を介してＮＴＳＣ／ＰＡＬエンコーダー１７及びＰＣ（Personal Computer）Ｉ／Ｆ１８に出力される。ＮＴＳＣ／ＰＡＬエンコーダー１７ は、メモリコントローラ１２を介して提供される画像データを、現行の家庭用ＴＶ受像機が表示できるフォーマット（＝アナログＴＶ放送のフォーマット）に変換する装置である。このＮＴＳＣ／ＰＡＬエンコーダー１７は、現行の家庭用ＴＶ受像機に接続して、現行の家庭用ＴＶ受像機が表示できるフォーマットに変換された画像データを出力する出力端子を備えている。また、ＰＣ＿Ｉ／Ｆ１８は、メモリコントローラ１２を介して提供される画像データを、ＰＣに提供するためのインターフェースである。このＰＣ＿Ｉ／Ｆ１８には、例えば、ＲＳ２３２Ｃ端子が備えられており、この端子によりデジタルカメラとＰＣを接続する。
【０００６】
デジタルカメラに画像を取り込む撮像装置は、ユーザーの高画質への要求、及び技術の進歩に従って、高画素化が進んでいる。ＶＧＡ（水平６４０画素、垂直４８０本）サイズからメガピクセルといわれるＳＸＧＡ（水平１２８０画素、垂直１０２４本）サイズ、さらにその上の水平１６００画素、垂直１２００本の撮像装置も開発されている。また現在の主流のデジタルカメラは、大部分がＳＸＧＡサイズ以上の撮像装置を搭載し、将来にわたって、高画質化、高画素化の流れで推移している。
【０００７】
高画質化の流れは、デジタルカメラに止まらず、家庭用ＴＶにおいても同様である。現在のＴＶフォーマットは、日本の場合はＮＴＳＣ方式が採用されている。ＮＴＳＣ方式の詳しい解説は、ＴＶの専門書に任せるが、水平９１０画素（サブキャリア周波数の４倍のクロックでサンブリングした場合）、垂直走査線数５２５本である。更に、ＴＶ放送の帯域圧縮の関係でインターレース方式（２回に分けて１画面を送る方法）が採用されているため、実際の垂直走査線数は５２５本の半分の２６２．５本である。現在は、ＴＶ信号の高画質の要求に答え、ＮＴＳＣ放送の水平、垂直の解像度をそれぞれ約２倍にしたハイビジョンフォーマットも放送されている。
【０００８】
デジタルＴＶといわれるデジタル信号によるＴＶ放送が、２０００年放送開始予定になっている。デジタルＴＶ放送は現在のアナログＴＶ放送に比較して、比較的狭帯域で高画質な画像が放送できるというメリットがあり、その放送に適した新フォーマットがいくつか提案され、採用が予定されている。例えば、水平垂直が１９２０（Ｈ）と１０８０（Ｖ）インターレース（以下１０８０ｉ）、１２８０（Ｈ）と７２０（Ｖ）のプログレッシブ（以下７２０ｐ）、現行ＮＴＳＣフォーマットのプログレッシブ（以下４８０ｐ）等である。いずれも、現行のアナログＴＶ放送、例えばＮＴＳＣ／ＰＡＬフォーマットに比べ高画質な画像が再現できる。現在、各杜、２０００年のデジタルＴＶ放送の開始に向け、新フォーマットに対応したＴＶ受像機を発売または開発している。
【０００９】
【発明が解決しようとする課題】
現在及び将来にわたり、デジタルカメラは高画質化が要求され、その解決策として高画素の撮像装置を用いて要求に答えてきた。高画素の撮像装置を用いることにより、高画素で高画質の画像データを記録媒体に記録し、高画素で高画質の画像データをＰＣに取り込むことによって、ＰＣ上で高画素で高画質の画像が再生でき、プリンタにより高画質の画像がプリントできる。
【００１０】
また、デジタルカメラに搭載された現行のＴＶ受像機に画像データを出力する出力端子は、現行のＮＴＳＣ／ＰＡＬフォーマットに変換して画像データを出力する。つまり、高画素の画像データ（例えばＳＸＧＡデータ）の場合には、水平、垂直とも半分の解像度に間引く必要があるとともに、インターレース信号に変換する必要があり、せっかくの高画質な画像をそのままＴＶ受像機で再生できないという欠点があった。また、将来の新フォーマット（＝デジタルＴＶ放送のフォーマット）に対応した出力端子がないため、新フォーマットに対応した高画質な画像が再生できるＴＶ受像機に対して、新フォーマットの画像データを提供できないという欠点があった。
【００１１】
この発明の目的は、将来、放送開始が予定されているデジタルＴＶ放送に採用される新フォーマットに対応したＴＶ受像機に対して、新フォーマットに対応した画像データを出力することが可能なデジタルカメラを提供することにある。
【００１２】
【課題を解決するための手段】
本発明に係るディジタルスチルカメラ用信号処理装置は、画像を所定の解像度で取り込む画像取込手段と、前記画像取込手段により取り込まれた画像をデジタル記録する記録手段と、前記記録手段により記録された画像データを処理し、所定の水平画素数及び所定の走査線数を有する画像データに変換する変換手段と、前記変換手段により変換された画像データを、アナログテレビジョン放送のフォーマットに変換して出力する第１の出力手段と、前記変換手段により変換された画像データを、デジタルテレビジョン放送のフォーマットに変換して出力する第２の出力手段とを備え、前記変換手段は、前記第１及び第２の出力手段の出力先の形式に基づき、変換する画素データの前記所定の水平画素数および所定の走査線数を切り替えることを特徴とするものである。
【００１３】
上記のような手段を備えたデジタルカメラによれば、デジタルＴＶ放送に採用される新フォーマットを満たす高画質な画像が、そのまま新フォーマットに対応したＴＶ受像機に出力される。
【００１４】
【発明の実施の形態】
以下、この発明の一実施の形態について図面を参照して説明する。
図１は、この発明に係るデジタルカメラとＴＶ受像機が接続された様子を示すブロック図である。図２は、図１に示すデジタルカメラの概略構成を示すブロック図である。
【００１５】
図１の記録媒体２２は図２に示す記録媒体３９に、図１に示すビデオ出力端子２３は図２に示すビデオ出力端子４１に、図１に示すＰＣ＿Ｉ／Ｆ２４は図２に示すＰＣ＿Ｉ／Ｆ３４に夫々相当するものとする。
【００１６】
まず、図１を用いて大まかな動作を説明する。この発明のデジタルカメラ２１は、撮像装置により被写体２０に相当する画像データを取り込み、この取り込まれた画像データに対して所定の圧縮処理を施し記録媒体２２に記録する。再生系では、記録媒体２２に記録された画像データに対して所定の再生処理を施し、ＰＣ＿Ｉ／Ｆ２４又はビデオ出力端子２３を介して外部へ出力する。ＰＣ＿Ｉ／Ｆ２４から出力される画像データは、ＰＣ用の画像データに変換されており、この変換された画像データをＰＣ＿Ｉ／Ｆを介してＰＣに供給する。ビデオ出力端子２３から出力される画像データは、現行フォーマット（＝現行のアナログＴＶ放送のフォーマット）又は新フォーマット（＝２０００年放送開始予定のデジタルＴＶ放送のフォーマット）に変換されており、この変換された画像データをＴＶ受像機に供給する。厳密に言うと、ビデオ出力端子２３に対して、現行のアナログＴＶ放送のフォーマットに対応した現行規格のＴＶ受像機が接続されている場合には、ビデオ出力端子２３から現行フォーマットの画像データを出力する。ビデオ出力端子２３に対して、２０００年放送開始予定のデジタルＴＶ放送のフォーマットに対応した新規格のＴＶ受像機が接続されている場合には、ビデオ出力端子２３から新フォーマットの画像データを出力する。
【００１７】
図２を用いて、この発明の一実施の形態について説明する。撮像装置３０は、被写体に相当する画像データを取り込み、取り込まれた画像データをデジタル画像データに変換して、カメラ信号処理部３１に出力する。撮像装置３０は、通常、ＰＣ系の画面サイズ、例えばＶＧＡ（６４０×４８０）、ＸＧＡ（７６８×１０２４）、ＳＸＧＡ（１０２４×１２８０）、更に、その上（ＵＸＧＡ）に対応した解像度のものが開発されている。カメラ信号処理部３１に入力された画像データは、圧縮記録／伸張再生部３５に適したフォーマット（例えばＲＧＢ、ＹＵＶ）に変換され、メモリーコントローラ３３を介して、メモリ３２に格納される。メモリコントローラ３３を介してメモリ３２から読み出された画像データは、圧縮記録／伸張再生部３５の入力要求に従って、圧縮記録／伸張再生部３５に入力され、所定の圧縮処理（例えばＪＰＥＧ）を施され、任意のファイルフォーマットで記録媒体３９に書き込まれる。
【００１８】
ここで、ビューファインダーモードについて説明する。デジタルカメラにおけるビューファインダーモードの再生では、高画質な画像が再生されることが望ましいが、被写体を撮影する際の補助的な役目を担うものであるため、必ずしも高画質である必要はない。また、ビューファインダーモードの再生は、基本的には動画再生であるため、高画質、高画素の画像処理を行うと、非常に早い動作速度、複雑な回路構成及び高速で動くデバイス等が必要になり、実用的でない。そこで、この発明のデジタルカメラでは、ビューファインダーモードにおいて現行フォーマット（例えばＮＴＳＣ）で画像データをＴＶ受像機に出力する。そのため、メモリ３２に格納された画像データは、従来と同じくメモリコントローラ３３で表示装置に適した形式（例えばインターレース処理）に変換され、ＮＴＳＣ／ＰＡＬエンコーダー３７を介してＴＶ受像機に出力される（動画再生）。さらに、この動画再生中に任意の場面（動画の一部）が指定されると、指定された場面が静止画として記録媒体３９に記録される。つまり、指定された場面に相当する画像データが、メモリコントローラ３３及び圧縮記録／伸張再生部３５を介して、記録媒体３９に記録される。これで、ビューファインダーモードによる静止画の記録が完了したことになる。
【００１９】
次に、記録媒体３９に記録された画像データを再生する場合について説明する。記録媒体３９に記録された圧縮済みの画像データは、圧縮記録／伸張再生部３５に入力され、元の画像データ（例えばＲＧＢ、ＹＵＶ）に復元される。圧縮記録／伸張再生部３５により復元された画像データは、メモリコントローラ３３を介して、メモリ３２に格納される。メモリ３２に格納された画像データは、メモリコントーローラ３３を介してフォーマット変換部３６及びＰＣ＿Ｉ／Ｆ３４に出力される。
【００２０】
ＰＣ＿Ｉ／Ｆ３４は、メモリコントローラ３３を介して提供される画像データを、ＰＣに提供するためのインターフェイスである。このＰＣ＿Ｉ／Ｆ３４には、例えば、 ＲＳ２３２Ｃ端子が備えられており、この端子によりデジタルカメ ラとＰＣとを接続する。
【００２１】
フォーマット変換部３６の他方の入力には、切り替え信号が入力される。切り替え信号は、接続されるＴＶ受像機の種類（現行規格のＴＶ受像機又は新規格のＴＶ受像機）によって、処理の切り換えを通知する信号である。フォーマット変換部３６は、切り替え信号に従い、メモリコントローラ３３から提供される画像データの水平画素数及び走査線数等を変換し、ＮＴＳＣ／ＰＡＬエンコーダー３７及び新フォーマット対応エンコーダー３８に出力する。ここで、このフォーマット変換部３６における変換例を示す。フォーマット変換部３６は、メモリコントローラ３３から提供される画像データを、有効走査線数１０８０本のプログレッシブスキャン信号、有効走査線数１０８０本のインターレース信号、有効走査線数７２０本のプログレッシブ信号、又は有効走査線数４８０本のプログレッシブ信号に変換する。
【００２２】
ＮＴＳＣ／ＰＡＬエンコーダー３７は、現行規格のＴＶ受像機の入力端子の入力フォーマットに再生画像を変換する装置で、新フォーマット対応エンコーダー３８は新規格のＴＶ受像機の入力端子の入力フォーマットに再生画像を変換する装置である。各々ＴＶ受像機の入力端子の入力フォーマットに変換された再生画像は、切り替え回路４０に入力される。切り替え回路４０は、切り替え信号の指示に従い、入力画像を切り替える。つまり、切り換え信号により出力先の表示形式が現行フォーマット対応であることが示されているときには、ＮＴＳＣ／ＰＡＬエンコーダー３７の出力を選択し、切り換え信号により出力先の表示形式が新フォーマット対応であることが示されているときには、新フォーマット対応エンコーダー３８の出力を選択する。切り替え回路４０の出力は、ビデオ出力端子４１を介して、ＴＶ受像機に接続され、このＴＶ受像機は再生画像を表示する。
【００２３】
尚、撮像装置３０の解像度が、新フォーマットに対応した画素数で構成されていた場合、切り替え信号が新フォーマットを選択しているときは、フォーマット変換部３６におけるフォーマット変換が必要ないというだけで、後の処理は同じである。
【００２４】
上記のように構成したこの発明のデジタルカメラは、例えば、２０００年から放送が開始される予定である日本の衛星デジタル放送に採用される新フォーマットに対応した再生画像を新フォーマットに対応したＴＶ受像機に接続できる出力端子を装備することにより、デジタルＴＶ受像機に簡単に接続できることが可能となる。また、現行放送より高画質な再生画像が表示でき、撮像装置の高画素、高画質の取り込み画像を忠実に表示できる。
【００２５】
【発明の効果】
この発明によれば、将来、放送開始が予定されているデジタルＴＶ放送に採用される新フォーマットに対応した新規格のＴＶ受像機に対して、新フォーマットに対応した画像データを出力することが可能となる。
【図面の簡単な説明】
【図１】この発明の使用状態について説明するためのブロック図。
【図２】この発明の一実施の形態について説明するためのブロック図。
【図３】従来のデジタルカメラの概略構成を示すブロック図。
【符号の説明】
３０…撮像装置
３１…カメラ信号処理部
３２…メモリ
３３…メモリコントローラ
３４…ＰＣ＿Ｉ／Ｆ
３５…圧縮記録／伸張再生部
３６…フォーマット変換部
３７…ＮＴＳＣ／ＰＡＬエンコーダー
３８…新フォーマット対応エンコーダー
３９…記録媒体
４０…切り換え回路
４１…ビデオ出力端子
【図１】
0004253058.tif 000002
【図２】
0004253058.tif 000003
【図３】
0004253058.tif 000004